(57)【要約】【課題】縦引きタイプと横引きタイプのルーフドレインのいずれにおいても容易に作業ができ、排水管とドレイン本体とを同一状態に再生可能にすること。【解決手段】両端が閉塞され、膨張及び収縮可能な透明のバルーンの先端部を該バルーンの内方へ反転させ、バルーンの反転部内に、耐水性及び伸縮性を有する筒状の樹脂吸収心材を挿入すると共に、樹脂吸収心材の一端部をバルーンの外周部に折り返し、バルーンの反転部内に挿入された樹脂吸収心材に樹脂塗料を含浸させる。バルーンの先端側を排水管の開口端に近接して設置し、バルーンの外周部に折り返された樹脂吸収心材をドレイン本体の開口側に展着した状態で、バルーン内に圧縮エアーを供給してバルーンの反転部を排水管内に進入させると共に、バルーンの膨張によって樹脂吸収心材を排水管の内壁及びドレイン本体の排水口と排水管の接続部内に付着させ、樹脂吸収心材の硬化後、バルーンを収縮して回収する。【選択図】  図１
2019130686.tif 000002
【特許請求の範囲】
【請求項１】
床部又は床部に立設される壁の下端部に埋設されたドレイン本体と、該ドレイン本体の排水口に接続する排水管とを具備するルーフドレインの再生方法であって、
両端が閉塞され、基端側にエアー供給口を有する膨張及び収縮可能な透明のバルーンの先端部を該バルーンの内方へ反転させる工程と、
上記バルーンの反転部内に、耐水性及び伸縮性を有する筒状の樹脂吸収心材を挿入すると共に、上記樹脂吸収心材の一端部を上記バルーンの外周部に折り返す工程と、
上記バルーンの反転部内に挿入された上記樹脂吸収心材に樹脂塗料を含浸させる工程と、
上記バルーンの先端側を上記排水管の開口端に近接して設置すると共に、上記バルーンの外周部に折り返された上記樹脂吸収心材を上記ドレイン本体の開口側に展着する工程と、
上記バルーン内に圧縮エアーを供給して上記バルーンの反転部を復元させつつ上記排水管内に進入させると共に、バルーンの膨張によって上記樹脂吸収心材を上記排水管の内壁及び上記ドレイン本体の排水口と上記排水管の接続部内に付着させる工程と、
上記樹脂吸収心材の硬化後、上記バルーンを収縮して回収する工程と、
を備えることを特徴とするルーフドレインの再生方法。
【請求項２】
請求項１に記載のルーフドレインの再生方法において、
上記ドレイン本体の開口側に展着された上記樹脂吸収心材に樹脂塗料を含浸させて、上記ドレイン本体の内面に上記樹脂塗料を塗布する仕上げ工程を更に備える、ことを特徴とするルーフドレインの再生方法。
【請求項３】
床部又は床部に立設される壁の下端部に埋設されたドレイン本体と、該ドレイン本体の排水口に接続する排水管とを具備するルーフドレインの再生装置であって、
両端が閉塞され、基端側に圧縮エアー供給源に接続するエアー供給口を有する膨張及び収縮可能な透明のバルーンと、
耐水性及び伸縮性を有する筒状の樹脂吸収心材と、
一端側に上記バルーンの先端部を該バルーンの内方へ反転させる略半球状の反転押圧部を有し、他端側に上記樹脂吸収心材を筒状に拡径しつつ上記バルーンの反転部内に挿入する円筒開口部を有する操作棒と、を具備し、
上記操作棒の反転押圧部によって上記バルーンの先端部を該バルーンの内方に反転させ、上記操作棒の円筒開口部によって上記樹脂吸収心材を上記バルーンの反転部内に挿入し、上記樹脂吸収心材に樹脂塗料が含浸されて上記バルーンの先端側が上記排水管の開口端に近接して設置されると共に、上記バルーンの外周部に折り返された上記樹脂吸収心材が上記ドレイン本体の開口側に展着された状態で、上記圧縮エアー供給源から供給される圧縮エアーによって上記バルーンの反転部を復元させつつ上記排水管内に進入させると共に、バルーンの膨張によって上記樹脂吸収心材を上記排水管の内壁及び上記ドレイン本体の排水口と上記排水管の接続部内に付着させる、
ことを特徴とするルーフドレインの再生装置。
【請求項４】
請求項３に記載のルーフドレインの再生装置において、
上記バルーンの外周を覆う分割又は周方向に開閉可能な略半円筒状の一対の透明なサポート半体からなるサポート体と、上記両サポート半体を固定する固定バンドとを更に具備し、
上記サポート体は、上記バルーンの反転部内に上記樹脂吸収心材が挿入され、上記樹脂吸収心材に樹脂塗料が含浸された際に、上記バルーンの外周を覆って上記固定バンドで固定された状態で、上記排水管の開口端に近接され、上記樹脂吸収心材が硬化後に上記バルーンが収縮した際に、上記バルーンから取り外し可能に形成されている、ことを特徴とするルーフドレインの再生装置。
【請求項５】
請求項３又は４に記載のルーフドレインの再生装置において、
上記バルーンの基端側に圧力計の接続口を更に具備する、ことを特徴とするルーフドレインの再生装置。
【請求項６】
請求項３又は４に記載のルーフドレインの再生装置において、
上記樹脂吸収心材はアラミド繊維の編物である、ことを特徴とするルーフドレインの再生装置。
【発明の詳細な説明】
【技術分野】
【０００１】
この発明は、ルーフドレインの再生方法及びその装置に関するものである。
【背景技術】
【０００２】
一般に、建物のベランダや屋上には、雨水を排水するルーフドレインが設置されている。
このルーフドレインには、床部に埋設されたドレイン本体と、該ドレイン本体の排水口に接続する排水管とからなる縦引きタイプと、床部に立設された壁の下端部に埋設されたドレイン本体と、該ドレイン本体の排水口に接続する横向きの排水管とからなる横引きタイプが使用されている。
【０００３】
上記のように構成されるルーフドレインは、風雨に晒され、雨水に混じった土砂や塵等の堆積による腐食や老朽化によって排水機能が損なわれる。この排水機能の改善を図るために、排水管内の堆積・腐食した部分を洗浄や研磨によって除去した後に再生する必要がある。
【０００４】
従来、この種のドレイン（トラップともいう）を備える排水設備の再生（補修）方法として、樹脂塗料を含浸した樹脂吸収心材を用いてルーフドレインの排水部を再生（補修，更生，ライニング等）する方法（装置）が知られている（例えば、特許文献１参照）。
【０００５】
特許文献１に記載の技術は、ライニングチューブの内部にライニング剤（樹脂塗料）を含浸した筒状のライニングクロス（樹脂吸収心材）を挿入してなるライニングクロスチューブをライニング反転器（以下に反転器という）の内部に挿入し、ライニングチューブの下端部を折り返して反転器の下端部の外周に締結すると共に、反転器の下端部を排水口の上端に設置した状態で、ライニングクロスの下端部を排水口の外周に被せ、反転器の内部に圧縮エアーを注入することによって、ライニングクロスチューブを反転しながら配管（排水管）の内部を進入させると共に、ライニングチューブの膨張によってライニングクロスを配管（排水管）の内壁に付着した後、ライニングクロスの硬化後に、ライニングチューブに接続したワイヤを上方に引き上げることによってライニングチューブを回収する方法（装置）である。
【先行技術文献】
【特許文献】
【０００６】
【特許文献１】特開２０１５−６６７１８号公報
【発明の概要】
【発明が解決しようとする課題】
【０００７】
しかしながら、特許文献１に記載のものにおいては、予めライニング剤（樹脂塗料）を含浸したライニングクロス（樹脂吸収心材）を挿入してなるライニングクロスチューブを形成し、ライニングクロスチューブの端部にワイヤを接続して準備する必要がある。また、ライニングクロスチューブを反転器に挿入し、反転器の下端部を排水口の上端に設置した状態で、反転器の内部に圧縮エアーを注入することによって、ライニングクロスを排水管の内壁に付着してライナー層を形成した後、ワイヤを引き上げてライニングクロスチューブを回収するため、設備が大掛かりとなり、再生作業に手間を要する懸念がある。
【０００８】
また、特許文献１に記載の技術においては、横引きタイプのルーフドレインの場合、反転器を排水口に設置した状態で、ライニングクロスの下端部を排水口の外周に被せるのが容易でないなどの懸念がある。
【０００９】
この発明は、上記事情に鑑みてなされたもので、縦引きタイプと横引きタイプのルーフドレインのいずれにおいても容易に作業ができ、かつ、排水管とドレイン本体とを同一状態に再生可能にするルーフドレインの再生方法及びその装置を提供するものである。
【課題を解決するための手段】
【００１０】
上記課題を達成するために、この発明の再生方法は、床部又は床部に立設される壁の下端部に埋設されたドレイン本体と、該ドレイン本体の排水口に接続する排水管とを具備するルーフドレインの再生方法であって、  両端が閉塞され、基端側にエアー供給口を有する膨張及び収縮可能な透明のバルーンの先端部を該バルーンの内方へ反転させる工程と、  上記バルーンの反転部内に、耐水性及び伸縮性を有する筒状の樹脂吸収心材を挿入すると共に、上記樹脂吸収心材の一端部を上記バルーンの外周部に折り返す工程と、  上記バルーンの反転部内に挿入された上記樹脂吸収心材に樹脂塗料を含浸させる工程と、  上記バルーンの先端側を上記排水管の開口端に近接して設置すると共に、上記バルーンの外周部に折り返された上記樹脂吸収心材を上記ドレイン本体の開口側に展着する工程と、  上記バルーン内に圧縮エアーを供給して上記バルーンの反転部を復元させつつ上記排水管内に進入させると共に、バルーンの膨張によって上記樹脂吸収心材を上記排水管の内壁及び上記ドレイン本体の排水口と上記排水管の接続部内に付着させる工程と、  上記樹脂吸収心材の硬化後、上記バルーンを収縮して回収する工程と、を備えることを特徴とする（請求項１）。
【００１１】
このように構成することにより、バルーンの先端部をバルーンの内方へ反転させて、バルーンの反転部内に、樹脂吸収心材を挿入すると共に、樹脂吸収心材の一端部をバルーンの外周部に折り返した状態で、上記反転部内に挿入された樹脂吸収心材に樹脂塗料を注入し、バルーンを押圧することで、外部から確認しつつ樹脂塗料を含浸させることができる。その後、バルーンの先端側を縦引き又は横引きのルーフドレインの排水管の開口端に近接させた状態に設置し、バルーンの外周部に折り返された樹脂吸収心材をドレイン本体の開口側に展着した状態で、バルーン内に圧縮エアーを供給することにより、バルーンの膨張によって樹脂吸収心材を排水管の内壁及びドレイン本体の排水口と排水管の接続部内に付着させ、樹脂吸収心材の硬化後、バルーンを収縮して回収することができる。
【００１２】
この発明の再生方法において、上記ドレイン本体の開口側に展着された上記樹脂吸収心材に樹脂塗料を含浸させて、上記ドレイン本体の内面に上記樹脂塗料を塗布する仕上げ工程を更に備えるのが好ましい（請求項２）。
【００１３】
このように構成することにより、排水管の内壁及びドレイン本体の排水口と排水管の接続部内に付着された樹脂吸収心材と一体の樹脂吸収心材に樹脂塗料を含浸させてドレイン本体の内面に樹脂塗料を塗布することができる。
【００１４】
この発明の再生装置は、床部又は床部に立設される壁の下端部に埋設されたドレイン本体と、該ドレイン本体の排水口に接続する排水管とを具備するルーフドレインの再生装置であって、  両端が閉塞され、基端側に圧縮エアー供給源に接続するエアー供給口を有する膨張及び収縮可能な透明のバルーンと、  耐水性及び伸縮性を有する筒状の樹脂吸収心材と、  一端側に上記バルーンの先端部を該バルーンの内方へ反転させる略半球状の反転押圧部を有し、他端側に上記樹脂吸収心材を筒状に拡径しつつ上記バルーンの反転部内に挿入する円筒開口部を有する操作棒と、を具備し、  上記操作棒の反転押圧部によって上記バルーンの先端部を該バルーンの内方に反転させ、上記操作棒の円筒開口部によって上記樹脂吸収心材を上記バルーンの反転部内に挿入し、上記樹脂吸収心材に樹脂塗料が含浸されて上記バルーンの先端側が上記排水管の開口端に近接して設置されると共に、上記バルーンの外周部に折り返された上記樹脂吸収心材が上記ドレイン本体の開口側に展着された状態で、上記圧縮エアー供給源から供給される圧縮エアーによって上記バルーンの反転部を復元させつつ上記排水管内に進入させると共に、バルーンの膨張によって上記樹脂吸収心材を上記排水管の内壁及び上記ドレイン本体の排水口と上記排水管の接続部内に付着させる、ことを特徴とする（請求項３）。
【００１５】
このように構成することにより、１つの操作棒によってバルーンの先端部をバルーンの内方へ反転させることができると共に、バルーンの反転部内に、樹脂吸収心材を挿入することができる。また、樹脂吸収心材の一端部をバルーンの外周部に折り返した状態で、上記反転部内に挿入された樹脂吸収心材に樹脂塗料を含浸させ、バルーンの先端側を排水管の開口端に近接し、バルーンの外周部に折り返された樹脂吸収心材をドレイン本体の開口側に展着した状態で、バルーン内に圧縮エアーを供給することにより、バルーンの膨張によって樹脂吸収心材を排水管の内壁及びドレイン本体の排水口と排水管の接続部内に付着させ、樹脂吸収心材の硬化後、バルーンを収縮して回収することができる。
また、バルーンは、膨張及び収縮可能な部材にて形成されているため、施工現場への搬送が容易な上、縦引きタイプと横引きタイプのルーフドレインのいずれにもおいても容易に使用することができる。
【００１６】
この発明の再生装置において、上記バルーンの外周を覆う分割又は周方向に開閉可能な略半円筒状の一対の透明なサポート半体からなるサポート体と、上記両サポート半体を固定する固定バンドとを更に具備し、上記サポート体は、上記バルーンの反転部内に上記樹脂吸収心材が挿入され、上記樹脂吸収心材に樹脂塗料が含浸された際に、上記バルーンの外周を覆って上記固定バンドで固定された状態で、上記排水管の開口端に近接され、上記樹脂吸収心材が硬化後に上記バルーンが収縮した際に、上記バルーンから取り外し可能に形成されているのが好ましい（請求項４）。
【００１７】
このように構成することにより、サポート体によってバルーン内への圧縮エアーの供給時のバルーンの圧力変形を抑制することができると共に、作業者のバルーンの保持を容易にすることができる。
【００１８】
また、この発明の再生装置において、上記バルーンの基端側に圧力計の接続口を更に具備するのが好ましい（請求項５）。
【００１９】
このように構成することにより、圧力計によってバルーン内への圧縮エアーの適正供給圧を確認することができ、作業の効率化を図ることができる。
【００２０】
加えて、この発明の再生装置において、上記樹脂吸収心材はアラミド繊維の編物であるのが好ましい（請求項６）。
【００２１】
このように構成することにより、樹脂吸収心材に耐水性及び伸縮性に加えて強度をもたせることができる上、樹脂塗料の含浸をし易くすることができる。
【発明の効果】
【００２２】
この発明によれば、上記のように構成されているので、以下のような効果が得られる。
膨張及び収縮可能な透明のバルーンの先端部を反転させ、反転部内に挿入される筒状の樹脂吸収心材に樹脂塗料を含浸させると共に、バルーンの外周部に折り返された樹脂吸収心材をドレイン本体の開口側に展着した状態で、バルーン内に圧縮エアーを供給することにより、樹脂吸収心材を排水管の内壁及びドレイン本体の排水口と排水管の接続部内に付着させ、樹脂吸収心材の硬化後、バルーンを収縮して回収するので、縦引きタイプと横引きタイプのルーフドレインのいずれにおいても容易に再生することができる。また、ドレイン本体に展着された樹脂吸収心材に樹脂塗料を塗布することができるので、排水管とドレイン本体とを同一状態に再生することができる。
【図面の簡単な説明】
【００２３】
【図１】この発明に係る再生方法の作業手順を示すフローチャートである。
【図２】この発明におけるバルーン、コンプレッサ及び圧力計を示す概略側面図である。
【図３】この発明における樹脂吸収心材を示す斜視図である。
【図４】この発明におけるサポート体の使用状態を示す正面図（ａ）、側面図（ｂ）、（ｂ）のＩ部拡大図（ｃ）及び（ｂ）のII部拡大図（ｄ）である。
【図５】上記サポート体の開いた状態を示す側面図（ａ）及び別のサポート体の分割状態を示す側面図（ｂ）である。
【図６】この発明における操作棒を示す側面図（ａ）、操作棒の反転押圧部を示す斜視図（ｂ）及び操作棒の円筒開口部を示す斜視図（ｃ）である。
【図７】上記バルーンの反転状態を示す概略側面図である。
【図８】上記バルーンの反転部内に樹脂吸収心材を挿入する状態を示す概略側面図（ａ）及び樹脂吸収心材の挿入後の状態を示す概略側面図（ｂ）である。
【図９】上記樹脂吸収心材に樹脂塗料を注入する状態を示す概略側面図（ａ）、樹脂吸収心材に樹脂塗料を含浸させる状態を示す概略側面図（ｂ）及び樹脂吸収心材に樹脂塗料を含浸させた状態を示す拡大断面図（ｃ）である。
【図１０】上記バルーンを第１実施形態におけるルーフドレインの排水管の開口端に近接して設置する状態を示す断面図である。
【図１１】上記第１実施形態における排水管の内壁及びドレイン本体と排水管の接続部内に樹脂吸収心材を付着させる状態を示す断面図である。
【図１２】上記バルーンを回収する状態を示す断面図である。
【図１３】第１実施形態におけるドレイン本体内に樹脂塗料を塗布した状態を示す断面図である。
【図１４】上記バルーンを第２実施形態におけるルーフドレインの排水管の開口端に近接して設置する状態を示す断面図である。
【図１５】上記第２実施形態における排水管の内壁及びドレイン本体と排水管の接続部内に樹脂吸収心材を付着させる状態を示す断面図である。
【図１６】上記バルーンを回収する状態を示す断面図である。
【図１７】第２実施形態におけるドレイン本体内に樹脂塗料を塗布した状態を示す断面図である。
【発明を実施するための形態】
【００２４】
以下に、この発明の実施形態について、添付図面に基づいて詳細に説明する。ここでは、この発明に係る再生方法（装置）を、後述する、建物のベランダや屋上の床部１に埋設されたドレイン本体４と、該ドレイン本体４の排水口５に接続する排水管６とからなる縦引きタイプのルーフドレイン３と、床部１に立設された壁２の下端部に埋設されたドレイン本体４Ａと、該ドレイン本体４Ａの排水口５Ａに接続する横向きの排水管６Ａとからなる横引きタイプのルーフドレイン３Ａに適用した場合について説明する。
【００２５】
まず、この発明に係る再生装置について説明する。
再生装置は、両端が閉塞され、基端側に圧縮エアー供給源であるコンプレッサ４０に接続するエアー供給口１３と、圧力計５０が接続可能な接続口１４を有する膨張及び収縮可能な透明のバルーン１０と、耐水性及び伸縮性を有する筒状の樹脂吸収心材１１と、バルーン１０の先端部を該バルーン１０の内方へ反転させる反転押圧部３２と、樹脂吸収心材１１を筒状に拡径しつつバルーン１０の反転押圧部３２内に挿入する円筒開口部３３を有する操作棒３０と、バルーン１０の外周を覆う分割又は周方向に開閉可能なサポート体２０と、を具備する。
【００２６】
上記バルーン１０は、例えば、ポリウレタン，ポリエチレン，塩化ビニール製の膨張及び収縮可能な透明部材にて形成されており、図２に示すように、先端部が凸円弧状に形成され、基端部にエアー供給口１３と接続口１４が設けられている。
なお、エアー供給口１３にはエアーホース４１を介してコンプレッサ４０が接続され、接続口１４に接続される接続ホース５１に、バルーン１０内の圧力を検出する圧力計５０が設けられている。
このバルーン１０は、エアーが供給された状態では、先端部が半球状に膨隆し、基端部が閉塞された円筒中空状に形成される。
【００２７】
上記樹脂吸収心材１１は、アラミド繊維を表と裏を同時に編んだ（ダブルニットと称する）筒状の編物にて形成されている（図３参照）。アラミド繊維は、耐水性，強度，耐熱性に優れた材料であり、編物により、伸縮性をもたせることができると共に、例えば、エポキシ樹脂塗料からなる硬化性樹脂塗料（以下に樹脂塗料という）の含浸をし易くすることができる。
【００２８】
上記サポート体２０は、図４及び図５（ａ）に示すように、略半円筒状の一対の例えば塩化ビニール製の透明なサポート半体２１，２１からなり、両サポート半体２１，２１は、対向する一辺に貼着されるテープによるヒンジ部２２によって周方向に開閉可能に形成されている。また、サポート体２０は、両サポート半体２１，２１によってバルーン１０の外周を覆った状態で、帯状の面ファスナーからなる固定バンド２３によって固定される。
【００２９】
なお、ヒンジ部２２がテープの貼着によって形成される場合について説明したが、テープに代えて、両サポート半体２１，２１の一辺を繰り返し折り曲げ可能な連結片でヒンジ部を形成してもよい。
また、図５（ｂ）に示すように、両サポート半体２１，２１を分割可能に形成してもよい。
【００３０】
上記のように形成されるサポート体２０は、後述するように、バルーン１０の反転部１０ａ内に挿入された樹脂吸収心材１１に樹脂塗料１２が含浸された際に、バルーン１０の外周を覆って固定バンド２３で固定され、樹脂吸収心材１１が硬化後にバルーン１０が収縮した際に、バルーン１０から取り外し可能に形成される。
【００３１】
上記操作棒３０は、図６に示すように、例えば塩化ビニール製のパイプからなる棒本体３１の一端に略半球状の頭部３２ａを有する反転押圧部３２を設け、他端に円筒開口部３３が設けられている。
このように形成される操作棒３０は、図７に示すように、反転押圧部３２によってバルーン１０の先端部を該バルーン１０の内方へ反転させることができ、図８（ａ）に示すように、円筒開口部３３によって樹脂吸収心材１１を筒状に拡径しつつバルーン１０の反転押圧部３２内に挿入することができる。
【００３２】
次に、この発明に係るルーフドレインの再生方法について、図１に示す作業手順（工程）のフローチャートと、図７ないし図１７を参照して説明する。
【００３３】
［第１実施形態］
第１実施形態は、図１０ないし図１３に示すように、床部１に埋設されたドレイン本体４の下端に設けられた排水口５に排水管６を垂直方向に接続してなる縦引きタイプのルーフドレイン３を再生する場合であり、施工現場において、以下の手順によって行う。
【００３４】
＜バルーン先端部の反転＞
バルーン１０の先端部を操作棒３０の反転押圧部３２でバルーン１０の内方に押し込んで反転させる（ステップＳ−１；図７参照）。
【００３５】
＜反転部内への樹脂吸収心材の挿入＞
樹脂吸収心材１１に操作棒３０の円筒開口部３３を挿入して、バルーン１０の反転部１０ａ内に樹脂吸収心材１１を筒状に拡径しつつ挿入し、樹脂吸収心材１１の外方側端部をバルーン１０の外周部に折り返す（ステップＳ−２；図８（ａ），（ｂ）参照）。
【００３６】
＜樹脂吸収心材に樹脂塗料を含浸＞
バルーン１０の反転部１０ａ内に挿入された樹脂吸収心材１１に漏斗８を用いて樹脂塗料１２を注入した後、バルーン１０の外面にローラ９を押圧して樹脂塗料１２を樹脂吸収心材１１に均等に含浸させる（ステップＳ−３：図９参照）。
この場合、バルーン１０は透明性部材にて形成されているので、樹脂塗料１２の含浸状体を外部から確認することができる。
【００３７】
反転部１０ａの樹脂吸収心材１１に樹脂塗料が含浸された状態において、バルーン１０の外周部に折り返された樹脂吸収心材１１には樹脂塗料１２は含浸されない。
【００３８】
なお、樹脂吸収心材１１に樹脂塗料１２が含浸された際に、サポート体２０でバルーン１０の外周を覆って固定バンド２３で固定する。
【００３９】
＜バルーンのドレインへの設置＞
バルーン先端側及びサポート体２０の端部をルーフドレイン３の排水管６の開口端に近接した状態に設置し、バルーン１０の外周部に折り返された樹脂塗料１２が含浸されていない樹脂吸収心材１１をドレイン本体４の開口側に展着する（ステップＳ−４；図１０参照）。
【００４０】
＜排水管内壁及び接続部の再生＞
バルーン１０内へ圧縮エアーを供給し、バルーン１０の膨張によって樹脂吸収心材１１を排水管６の内壁及び排水口５と排水管６の段状の接続部７内に付着する（ステップＳ−５；図１１参照）。
この場合、圧力計５０によってバルーン１０内の圧力を確認しながら圧縮エアーを供給する。
【００４１】
バルーン１０内に圧縮エアーを供給している際は、サポート体２０によってバルーン１０の圧力変形を抑制することができると共に、作業者のバルーン１０の保持を容易にすることができる。
【００４２】
＜バルーンの回収＞
樹脂吸収心材１１の硬化後、バルーン１０内のエアーを抜いてバルーン１０を収縮すると共に、固定バンド２３の締結を解いてサポート半体２１，２１を分離してバルーン１０を回収する（ステップＳ−６；図１２参照）。
【００４３】
＜ドレイン本体の再生＞
ドレイン本体４の開口側に展着された樹脂吸収心材１１に樹脂塗料１２を含浸させて、ドレイン本体４の内面に樹脂塗料１２を塗布してドレイン本体４の内面を仕上げる（ステップＳ−７；図１３参照）。
【００４４】
［第２実施形態］
第２実施形態は、図１４ないし図１７に示すように、床部１に立設された壁２の下端部に埋設されたドレイン本体４Ａの下端に設けられた横向きの排水口５Ａに排水管６Ａを横向きに接続してなる横引きタイプのルーフドレイン３Ａを再生する場合であり、施工現場において、以下の手順によって行う。
【００４５】
第２実施形態においても、バルーン先端部の反転（ステップＳ−１）、反転部内への樹脂吸収心材の挿入（ステップＳ−２）、樹脂吸収心材に樹脂塗料を含浸（ステップＳ−３）は、第１実施形態と同様であるので、説明は省略する。
【００４６】
＜バルーンのドレインへの設置＞
バルーン先端側及びサポート体２０の端部をルーフドレイン３Ａの排水管６Ａの開口端に近接した状態に設置し、バルーン１０の外周部に折り返された樹脂塗料１２が含浸されていない樹脂吸収心材１１をドレイン本体４Ａの開口側に展着する（ステップＳ−４；図１４参照）。この場合、バルーン１０は膨張及び収縮可能であって可撓性を有するので、屈曲させて排水管６Ａの開口端に近接した状態に設置することができる。
【００４７】
＜排水管内壁及び接続部の再生＞
バルーン１０内へ圧縮エアーを供給し、バルーン１０の膨張によって樹脂吸収心材１１を排水管６Ａの内壁及び排水口５Ａと排水管６Ａの段状の接続部７内に付着する（ステップＳ−５；図１５参照）。
この場合、圧力計５０によってバルーン１０内の圧力を確認しながら圧縮エアーを供給する。
【００４８】
バルーン１０内に圧縮エアーを供給している際は、サポート体２０によってバルーン１０の圧力変形を抑制することができると共に、作業者のバルーン１０の保持を容易にすることができる。
【００４９】
＜バルーンの回収＞
樹脂吸収心材１１の硬化後、バルーン１０内のエアーを抜いてバルーン１０を収縮すると共に、固定バンドの締結を解いてサポート半体（図示せず）を分離してバルーン１０を回収する（ステップＳ−６；図１６参照）。
【００５０】
＜ドレイン本体の再生＞
ドレイン本体４Ａの開口側に展着された樹脂吸収心材１１に樹脂塗料１２を含浸させて、ドレイン本体４Ａの内面に樹脂塗料１２を塗布してドレイン本体４Ａの内面を仕上げる（ステップＳ−７；図１７参照）。
【００５１】
なお、上記実施形態では、バルーン１０の外周をサポート体２０で覆った状態でバルーン１０内に圧縮エアーを供給する場合について説明したが、バルーン１０への供給圧が低い場合は、サポート体２０を用いずに、直接バルーン１０を保持して作業してもよい。
【００５２】
上記実施形態によれば、膨張及び収縮可能な透明のバルーン１０の先端部を反転させ、反転部１０ａ内に挿入される樹脂吸収心材１１に樹脂塗料を含浸させると共に、バルーン１０の外周部に折り返された樹脂吸収心材１１をドレイン本体４，４Ａの開口側に展着した状態で、バルーン１０内に圧縮エアーを供給することにより、樹脂吸収心材１１を排水管６，６Ａの内壁及びドレイン本体４，４Ａの排水口５，５Ａと排水管６，６Ａの接続部７内に付着させ、樹脂吸収心材１１の硬化後、バルーン１０を収縮して回収するので、縦引きタイプと横引きタイプのルーフドレイン３，３Ａのいずれにおいても容易に再生することができる。また、ドレイン本体４，４Ａに展着された樹脂吸収心材１１に樹脂塗料１２を塗布するので、排水管６，６Ａとドレイン本体４，４Ａとを同一状態に再生することができる。
【００５３】
また、上記実施形態によれば、１つの操作棒３０によってバルーン１０の先端部をバルーン１０の内方へ反転させることができると共に、バルーン１０の反転部１０ａ内に、樹脂吸収心材１１を挿入することができるので、現場での作業の効率が図れる。
【００５４】
また、バルーン１０は、膨張及び収縮可能な部材にて形成されているため、施工現場への搬送が容易であり、また、膨張によって樹脂吸収心材１１を排水管６，６Ａの内壁及びドレイン本体４，４Ａの排水口５，５Ａと排水管６，６Ａの接続部７内に付着させ、樹脂吸収心材１１の硬化後、収縮して回収することができるので、再度繰り返して使用することができる。
【００５５】
なお、上記実施形態では、ルーフドレイン３，３Ａの再生に適用する場合について説明したが、この発明はこれに限定されるものではなく、ドレイン本体と、ドレイン本体の排水口に接続する排水管を備える構造の排水設備にも適用できるものである。
【符号の説明】
【００５６】
１  床部
２  壁
３，３Ａ  ルーフドレイン
４，４Ａ  ドレイン本体
５，５Ａ  排水口
６，６Ａ  排水管
７  接続部
１０  バルーン
１０ａ  反転部
１１  樹脂吸収心材
１２  樹脂塗料
１３  エアー供給口
１４  接続口
２０  サポート体
２１  サポート半体
２２  ヒンジ部
２３  固定バンド
３０  操作棒
３１  棒本体
３２  反転押圧部
３３  円筒開口部
４０  コンプレッサ（圧縮エアー供給源）
５０  圧力計
【図１】
2019130686.tif 000003
【図２】
2019130686.tif 000004
【図３】
2019130686.tif 000005
【図４】
2019130686.tif 000006
【図５】
2019130686.tif 000007
【図６】
2019130686.tif 000008
【図７】
2019130686.tif 000009
【図８】
2019130686.tif 000010
【図９】
2019130686.tif 000011
【図１０】
2019130686.tif 000012
【図１１】
2019130686.tif 000013
【図１２】
2019130686.tif 000014
【図１３】
2019130686.tif 000015
【図１４】
2019130686.tif 000016
【図１５】
2019130686.tif 000017
【図１６】
2019130686.tif 000018
【図１７】
2019130686.tif 000019